(57)【要約】【課題】車両がタイヤバーストの危険領域速度になった場合、後続車両を含む周囲に警告を発する。【解決手段】主制御装置１０は、走行速度監視制御部１３により、タイヤ情報，タイヤ空気圧，車両速度等からタイヤのバースト予測を計算し、危険領域速度になった場合に、フラッシャ駆動装置１７を制御して周囲に警告を発すると同時に、制動装置４により安全領域速度まで車両３を減速させる。これにより、自車両３と周辺車両共に危険を回避できる可能性が高くなり、より安全で快適な運転を運転者に提供することが可能となる。【選択図】図１
2008195147.tif 000002
【特許請求の範囲】
【請求項１】
車両の各タイヤのタイヤ情報を記憶するタイヤ情報記憶手段と、
前記車両の各タイヤのタイヤ空気圧を検出するタイヤ空気圧検出手段と、
前記車両の走行速度を検出する車速検出手段と、
前記タイヤ情報記憶手段に記憶されたタイヤ情報，前記タイヤ空気圧検出手段により検出されたタイヤ空気圧，および前記車速検出手段により検出された走行速度に基づいて当該車両にタイヤバーストの危険があるかどうかを判定するタイヤバースト判定手段と、
前記タイヤバースト判定手段により当該車両にタイヤバーストの危険があると判定されたときにフラッシャを駆動して周囲にその旨を警告するフラッシャ駆動制御手段と、
を備えることを特徴とするタイヤバースト警告装置。
【請求項２】
ナビゲーションシステムの画面に対して表示を指示する画面表示指示制御手段を備え、前記タイヤバースト判定手段により当該車両にタイヤバーストの危険があると判定されたときにその旨を前記ナビゲーションシステムの画面に警告表示する請求項１記載のタイヤバースト警告装置。
【請求項３】
前記ナビゲーションシステムは、走行予定ルートの途中に存在するタイヤ空気圧の補給可能箇所を探索し、探索された補給可能箇所を表示部にマップ表示する請求項２記載のタイヤバースト警告装置。
【請求項４】
前記ナビゲーションシステムは、走行予定ルートの途中に存在する停車可能箇所を探索し、探索された停車可能箇所を表示部にマップ表示する請求項２記載のタイヤバースト警告装置。
【請求項５】
前記タイヤ空気圧検出手段により検出されたタイヤ空気圧が所定の規定値範囲外であるかどうかを判定するタイヤ空気圧判定手段を備え、前記タイヤ空気圧判定手段は、タイヤ空気圧が所定の規定値範囲外であると判定したときに当該車両の警報装置を用いて運転者にその旨を警報する請求項１ないし４のいずれか１項に記載のタイヤバースト警告装置。
【請求項６】
前記車両に制動をかける制動装置を備え、前記タイヤ空気圧判定手段は、タイヤ空気圧が所定の規定値範囲外であると判定したときに前記制動装置を用いて前記車両に安全領域速度以下となるように制動をかける請求項５記載のタイヤバースト警告装置。
【発明の詳細な説明】
【技術分野】
【０００１】
本発明はタイヤバースト警告装置に関し、特に車両のタイヤバーストの危険を周囲（車両外部）に警告するタイヤバースト警告装置に関する。
【背景技術】
【０００２】
従来技術として、タイヤ空気圧の減圧あるいは過圧状態を検出した場合に、運転者にタイヤ空気圧の異常を警報するシステムが提案されている（特許文献１，２，３等参照）。
【０００３】
また、従来技術として、タイヤ空気圧の異常を報知するだけでなく、道路状況や車両の走行状態に応じてタイヤ空気圧を調節し、走行速度を制限するように制御を行う走行速度制御手段が提案されている（特許文献４等参照）。
【０００４】
さらに、従来技術として、タイヤの特性に関する情報を統合的に管理して、タイヤの空気圧検出装置等によるタイヤ空気圧の異常を的確に検出するための技術がある（特許文献５等参照）。
【特許文献１】特開２００３-７２３３０号公報
【特許文献２】特開平７-８１３３９号公報
【特許文献３】特開平７-８１３４０号公報
【特許文献４】特開２００５-１１９５３３号公報
【特許文献５】特開２００５-２２６０２号公報
【発明の開示】
【発明が解決しようとする課題】
【０００５】
しかしながら、上記従来技術は、運転者に警報や警告を行い、またタイヤ空気圧の異常を検知した車両の走行制御を行うものであり、周囲（車両外部）の後続車両等に状況を知らせるものではないという問題があった。先行車両がタイヤバーストを起こした場合に、最も危険が及ぶのは後続車両等の周囲の車両であり、周囲の車両にこそ先行車両のタイヤバーストの危険を報知すべきである。
【０００６】
本発明の目的は、上述の点に鑑み、車両のタイヤ空気圧の異常を検出してタイヤバーストの危険があるときに、その旨を周囲（車両外部）に警告するようにしたタイヤバースト警告装置を提供することにある。
【０００７】
また、本発明の他の目的は、車両のタイヤ空気圧の異常を検出してタイヤバーストの危険があるときに、その旨を周囲（車両外部）に警告するとともに、ナビゲーションシステムによりタイヤ空気圧の補給可能箇所や安全に停車できる停車可能箇所を表示させるタイヤバースト警告装置を提供することにある。
【課題を解決するための手段】
【０００８】
請求項１記載のタイヤバースト警告装置は、車両の各タイヤのタイヤ情報を記憶するタイヤ情報記憶手段と、前記車両の各タイヤのタイヤ空気圧を検出するタイヤ空気圧検出手段と、前記車両の走行速度を検出する車速検出手段と、前記タイヤ情報記憶手段に記憶されたタイヤ情報，前記タイヤ空気圧検出手段により検出されたタイヤ空気圧，および前記車速検出手段により検出された走行速度に基づいて当該車両にタイヤバーストの危険があるかどうかを判定するタイヤバースト判定手段と、前記タイヤバースト判定手段により当該車両にタイヤバーストの危険があると判定されたときにフラッシャを駆動して周囲にその旨を警告するフラッシャ駆動制御手段と、を備えることを特徴とする。請求項１記載のタイヤバースト警告装置によれば、タイヤ空気圧の異常によって発生するタイヤバーストの危険を周囲に警告するようにしたので、自車両と周辺車両共に危険を回避できる可能性が高くなり、より安全で快適な運転を運転者に提供することが可能となる。
【０００９】
請求項２記載のタイヤバースト警告装置は、請求項１記載のタイヤバースト警告装置において、ナビゲーションシステムの画面に対して表示を指示する画面表示指示制御手段を備え、前記タイヤバースト判定手段により当該車両にタイヤバーストの危険があると判定されたときにその旨を前記ナビゲーションシステムの画面に警告表示することを特徴とする。請求項２記載のタイヤバースト警告装置によれば、車両にタイヤバーストの危険がある場合にはフラッシャを駆動して周囲にタイヤバーストの危険を警告するとともに、車両にタイヤバーストの危険がある旨をナビゲーションシステムの画面にも警告表示するようにしたので、後続車両を含む周辺車両が先行車両のタイヤバーストの危険を事前に知ることができるとともに、運転者もナビゲーションシステムとの連動により安全なタイヤ空気圧の補給可能箇所に経路案内したり、停車可能箇所に経路案内したりすることが可能となる。
【００１０】
請求項３記載のタイヤバースト警告装置は、請求項２記載のタイヤバースト警告装置において、前記ナビゲーションシステムが、走行予定ルートの途中に存在するタイヤ空気圧の補給可能箇所を探索し、探索された補給可能箇所を表示部にマップ表示することを特徴とする。請求項３記載のタイヤバースト警告装置によれば、車両にタイヤバーストの危険がある場合にはフラッシャを駆動して周囲にタイヤバーストの危険を警告するとともに、車両にタイヤバーストの危険がある旨をナビゲーションシステムの画面にも警告表示するようにしたので、後続車両を含む周辺車両が先行車両のタイヤバーストの危険を事前に知ることができるとともに、車両をナビゲーションシステムとの連動により安全なタイヤ空気圧の補給可能箇所に経路案内することができる。
【００１１】
請求項４記載のタイヤバースト警告装置は、請求項２記載のタイヤバースト警告装置において、前記ナビゲーションシステムが、走行予定ルートの途中に存在する停車可能箇所を探索し、探索された停車可能箇所を表示部にマップ表示することを特徴とする。請求項４記載のタイヤバースト警告装置によれば、車両が安全領域速度で継続走行可能でない場合にはフラッシャを駆動して周囲にタイヤバーストの危険を警告するとともに、車両にタイヤバーストの危険がある旨をナビゲーションシステムの画面にも警告表示するようにしたので、後続車両を含む周辺車両が先行車両のタイヤバーストの危険を事前に知ることができるとともに、車両をナビゲーションシステムとの連動により安全に停車できる停車可能箇所に経路案内することができる。
【００１２】
請求項５記載のタイヤバースト警告装置は、請求項１ないし３のいずれか１項に記載のタイヤバースト警告装置において、前記タイヤ空気圧検出手段により検出されたタイヤ空気圧が所定の規定値範囲外であるかどうかを判定するタイヤ空気圧判定手段を備え、前記タイヤ空気圧判定手段は、タイヤ空気圧が所定の規定値範囲外であると判定したときに当該車両の警報装置を用いて運転者にその旨を警報することを特徴とする。請求項５記載のタイヤバースト警告装置によれば、タイヤ空気圧が所定の規定値範囲外であると判定したときに当該車両の警報装置を用いて運転者にその旨を警報するようにしたことにより、タイヤバーストする前にタイヤに空気圧を補正したり、タイヤを交換したりして、タイヤバーストを未然に回避することができる。
【００１３】
請求項６記載のタイヤバースト警告装置は、請求項５記載のタイヤバースト警告装置において、前記車両に制動をかける制動装置を備え、前記タイヤ空気圧判定手段は、タイヤ空気圧が所定の規定値範囲外であると判定したときに前記制動装置を用いて前記車両に安全領域速度以下となるように制動をかけることを特徴とする。請求項６記載のタイヤバースト警告装置によれば、タイヤ空気圧が所定の規定値範囲外であると判定されたときに車両に安全領域速度以下となるように制動をかけるようにしたので、タイヤバーストの危険を自動的に回避することができる。
【発明を実施するための最良の形態】
【００１４】
車両がタイヤバーストの危険領域速度になった場合、周囲に警告を発するという目的を、フラッシャを駆動することにより達成した。
【００１５】
以下、本発明の実施の形態について図面を参照しながら詳細に説明する。
【実施例１】
【００１６】
図１は、本発明の実施例１に係るタイヤバースト警告装置の構成を示す機能ブロック図である。実施例１に係るタイヤバースト警告装置は、車両３のタイヤ１に搭載されたタイヤ空気圧センサ（本発明のタイヤ空気圧検出手段に相当）２と、車両３に搭載された制動装置４と、車両３に搭載された操舵角センサ，車速センサ等の各種センサ６と、これらが接続された入出力インタフェース（Ｉ／Ｆ）５と、入出力Ｉ／Ｆ５に接続された主制御装置１０と、車両３の警報装置１６と、車両３のフラッシャ駆動装置１７とから、その主要部が構成されている。なお、図１中では、入出力Ｉ／Ｆ５，主制御装置１０，警報装置１６およびフラッシャ駆動装置１７が車両３の外部に図示されているが、これは図示上の便法であって、これらが車両３に備えられていることはいうまでもない。
【００１７】
タイヤ空気圧センサ２は、車両３の各タイヤ１に取り付けられ、タイヤ空気圧センサ２により検出された各タイヤ１の空気圧は、入出力Ｉ／Ｆ５を介して主制御装置１０に送信される。なお、タイヤ空気圧センサ２は、いわゆるＴＰＭＳ（Tire Pressure Monitoring System）としてもよい。
【００１８】
制動装置４は、主制御装置１０から入出力Ｉ／Ｆ５を介して送信される制動信号に基づいて車両３に制動をかける。
【００１９】
各種センサ６は、検出した操舵角や車両速度を入出力Ｉ／Ｆ５を介して主制御装置１０に送信する。
【００２０】
主制御装置１０は、周知のＥＣＵ（Electric Control Unit）で構成されており、タイヤ空気圧記憶部（本発明のタイヤ情報記憶手段に相当）１１と、タイヤ空気圧判定部（本発明のタイヤ空気圧判定手段に相当）１２と、走行速度監視制御部（本発明のタイヤバースト判定手段に相当）１３と、フラッシャ駆動制御部（本発明のフラッシャ駆動制御手段に相当）１４とを含んで構成されている。
【００２１】
警報装置１６は、タイヤバーストの危険があるときに、運転者に対して音声等により警告を行う。
【００２２】
フラッシャ駆動装置１７は、タイヤバーストの危険があるときに、車両１３の前後左右に設けられているフラッシャ（図示せず）を点滅駆動することにより、周囲に警告を発する。
【００２３】
タイヤ空気圧記憶部１１は、タイヤ空気圧センサ２により検出された各タイヤ１の空気圧を記憶する機能を備えている。また、タイヤ空気圧記憶部１１は、タイヤ空気圧判定部１２においてタイヤバーストの危険があるか否かの判定基準となる基準データを備えている。この基準データは、少なくともタイヤ情報（タイヤ特性に関する情報、例えば型式，タイヤ幅，扁平率，リム径，使用走行距離等），タイヤ空気圧，および車両３の走行速度（車両速度）の関数であり、走行速度が速ければ速いほど、タイヤ空気圧が高くても、タイヤバーストの危険があると判定される。タイヤ情報は、図示しないタイヤ情報管理システム（特許文献５等参照）により適切に管理されているものとする。なお、基準データをさらに操舵角の関数として、タイヤ情報，タイヤ空気圧，走行速度および操舵角に基づいてタイヤバーストの危険を判定してもよい。
【００２４】
タイヤ空気圧判定部１２は、タイヤ空気圧記憶部１１に記憶されたタイヤ空気圧が所定の規定値範囲外であるか否かを判定する機能を備えている。後述するように、本実施例１では、タイヤ空気圧が所定の規定値範囲外の異常を検出した場合に、警報装置１６により運転者に対して、空気圧を補給する旨を音声やモニタ表示等により警告するようにしている。
【００２５】
走行速度監視制御部１３は、タイヤ空気圧に応じて車両速度が速くてタイヤバーストの危険があるかどうかを判断し、警告装置１６によりその旨を運転者に音声警告するとともに、フラッシャ駆動装置１７によりその旨を周囲に光の点滅で警告する。また、走行速度監視制御部１３は、入出力Ｉ／Ｆ５を介して制動信号を制動装置４に送信して、車両３に制動をかける。
【００２６】
フラッシャ駆動制御部１４は、フラッシャ駆動装置１７を駆動制御する。
【００２７】
図２は、主制御装置１０の処理手順を説明するフローチャートである。
【００２８】
次に、このように構成された実施例１に係るタイヤバースト警告装置の動作について、図２を参照しながら説明する。
【００２９】
まず、主制御装置１０は、タイヤ空気圧センサ２により検出されたタイヤ空気圧を取得する（図２のＳ１０１）。このタイヤ空気圧の検出および取得は、各タイヤ１毎に行われ、取得されたタイヤ空気圧は、タイヤ空気圧記憶部１１に記憶される。
【００３０】
次に、主制御装置１０は、タイヤ空気圧判定部１２により、タイヤ空気圧が所定の規定値範囲外であるかどうかを判定（レベル判定）する（図２のＳ１０２）。タイヤ空気圧判定部１２は、例えば、標準空気圧（装着タイヤの理想空気圧１００％）に対して、−２５％のロープレッシャー状態であれば、所定の規定値範囲外であると判定する。
【００３１】
タイヤ空気圧が所定の規定値範囲内であれば（図２のＳ１０２：Ｎｏ）、主制御装置１０は、ステップＳ１０１に制御を戻して、ステップＳ１０１〜Ｓ１０３を繰り返す。
【００３２】
タイヤ空気圧が所定の規定値以下であれば（図２のＳ１０２：Ｙｅｓ）、主制御装置１０は、警報装置１６を用いて運転者にタイヤ１への空気圧の補正を促す警告・警報を行う（図２のＳ１０４）。例えば、警報装置１６による音声警告は、「タイヤ空気圧が低下しているので、空気圧の補給を御願いします」，「タイヤ空気圧が低下しているので、走行速度を減速して下さい」等である。すなわち、タイヤ１のタイヤ空気圧が低下している場合、このタイヤ１と道路面との接触面積が大きくなる（摩擦係数も大）ため、高速道路等の高速走行を行う道路（高速道路ではなくても、高速での走行が可能な道路）を、タイヤ空気圧の低下したタイヤ１で走行するとタイヤ１の波打ち等が発生し、ハンドル操作ができなくなる恐れがある。また、タイヤ１のタイヤ空気圧が過圧状態である場合には、このタイヤ１と道路面との摩擦により、タイヤ１内の空気が膨張し、タイヤバースト現象を促す恐れがある。このため、タイヤ空気圧が所定の規定値範囲外であるとタイヤ空気圧判定部１２が判定した場合には、警報装置１６により運転者にタイヤ１への空気圧の補正を促す音声警告を行うようにする。
【００３３】
次に、主制御装置１０は、操舵角センサ，車速センサ等の各種センサ６から車速情報等を取得し（図２のＳ１０５）、走行速度監視制御部１３によりタイヤ空気圧，車両速度等に基づいてタイヤバーストの危険があるかどうかを判定する（図２のＳ１０６）。詳しくは、走行速度監視制御部１３は、タイヤ情報（タイヤ特性に関する情報、例えば型式，タイヤ幅，扁平率，リム径，使用走行距離等），タイヤ空気圧，車両速度等からタイヤのバースト予測を計算し、危険領域に入ったかどうかを判定する。例えば、標準空気圧（装着タイヤの理想空気圧１００％）に対して、−５０％のロープレッシャー状態であれば、タイヤバーストの危険がある（速度制限が必要である）と判定する。また、車両速度については、ＡＢＳ（Anti-lock Brake System）システム（４輪のスベリ→４輪互いの速度違いを判断）から伝達される車輪速度から、タイヤ径の変形状態が判断可能（空気圧の変化によるものか、操舵角による変化なのかはタイヤ空気圧と操舵角との総合情報から判断可能）である。例えば、ある１輪のタイヤ径に変化が生じたとすると、対象とするタイヤ１が他のタイヤ１に比べ、車輪速度（回転数）に変化が生じるためである。
【００３４】
タイヤバーストの危険がなければ（図２のＳ１０６：Ｎｏ）、主制御装置１０は、処理を終了する。
【００３５】
タイヤバーストの危険があれば（図２のＳ１０６：Ｙｅｓ）、主制御装置１０は、フラッシャ駆動制御部１４によりフラッシャ駆動装置１７を駆動して、フラッシャの点滅を開始し、当該車両３がタイヤバーストする危険があることを周囲に警告する（図２のＳ１０７）。これにより、周囲の周辺車両が当該車両３のタイヤバーストの危険を知ることができる。特に、後続車両は、前方車両がタイヤバーストの危険もしくは急激な減速制御状態であることを察知し、速度を落とす、車間距離をとる、走行車線を変更する等の対策をとることができ、実際に前方車両がタイヤバーストしたときの危険を未然に回避することができる。
【００３６】
次に、主制御装置１０は、警報装置１６を用いて車両速度の制限開始を運転者に報知する（図２のＳ１０８）。例えば、警報装置１６により、「タイヤ空気圧が低下しているため、車速を安全領域速度である９０ｋｍ以下に制限します」等のように音声報知する。
【００３７】
続いて、主制御装置１０は、走行速度監視制御部１３により、入出力Ｉ／Ｆ５を介して制動装置４を駆動して車両速度を安全領域速度（例えば９０ｋｍ以下）まで減速し（図２のＳ１０９）、処理を終了する。
【００３８】
本実施例１によれば、タイヤ空気圧センサ２により車両３のタイヤ空気圧を検出するとともに、各種センサ６により車両速度等を検出して、タイヤ情報，タイヤ空気圧，車両速度等に基づいてタイヤバーストの危険があるかどうかを判定して、タイヤバーストの危険がある場合にはフラッシャを駆動して周囲にタイヤバーストの危険を警告するようにしたので、後続車両を含む周辺車両が先行車両のタイヤバーストの危険を事前に知ることができ、適切な対応をとることにより危険を未然に回避することができる。
【実施例２】
【００３９】
図３は、本発明の実施例２に係るタイヤバースト警告装置の構成を示す機能ブロック図である。実施例２に係るタイヤバースト警告装置は、図１に示した実施例１に係るタイヤバースト警告装置に対して、ナビゲーションシステム２０およびメータシステム２４が付加されて構成されている。また、実施例２に係るタイヤバースト警告装置は、ナビゲーションシステム２０およびメータシステム２４を制御するために、主制御装置１０に、画面表示指示制御部（本発明の画面表示指示制御手段に相当）１５が追加されて構成されている。
【００４０】
ナビゲーションシステム２０は、すでに周知のものであるので、その詳細は省略するが、ＧＰＳ（Global Positioning System）人工衛星との通信によって車両３の現在位置を算出するＧＰＳ受信器２１と、液晶ディスプレイ等でなる表示部２２と、スピーカ等でなる音声発声部２３とに接続され、地図データベース（図示せず）に基づく走行予定ルートを管理する機能を備えている。すなわち、ナビゲーションシステム２０は、ＧＰＳ受信器２１が算出した車両３の現在位置と地図データ、さらには運転者等からの入力操作に基づいて車両３による走行予定ルートを作成するとともに、この走行予定ルートを表示部２２上に表示し、さらに音声発声部２３からの音声出力によって経路誘導を行う機能を備えている。特に、本実施例２では、ナビゲーションシステム２０により走行予定ルート上に存在する高速道路，直線道路，カーブの存在等に基づいて、音声発声部２３によりタイヤ空気圧を補正する旨を音声警告する機能を備えている。
【００４１】
メータシステム２４は、車両３のインスツルメントパネル（図示せず）に設けられ、車速メータや燃料メータ等の各種の表示部２５を含んで構成されている。
【００４２】
画面表示指示制御部１５は、ナビゲーションシステム２０の表示部２２やメータシステム２４の表示部２５に画面表示を指示する機能を有する。
【００４３】
なお、その他の特に言及しない部分については、図１に示した実施例１に係るタイヤバースト警告装置の対応部分と同様に構成されているので、それらの詳しい説明を割愛する。
【００４４】
図４は、主制御装置１０の処理手順を説明するフローチャートである。
【００４５】
次に、このように構成された実施例２に係るタイヤバースト警告装置の動作について、図４を参照しながら説明する。
【００４６】
図４のフローチャートにおいて、ステップＳ１０１〜Ｓ１０５までの処理は、図２に示した実施例１における場合と全く同様であるので、詳しい説明を省略する。
【００４７】
車速情報等の取得後（図４のＳ１０５）、主制御装置１０は、走行速度監視制御部１３によりタイヤバーストの危険があるかどうかを判定するときに（図４のＳ１０６）、ナビゲーションシステム２０から車両３の現在位置を取得して、タイヤ情報，タイヤ空気圧および車両速度（ならびに操舵角）に基づくばかりでなく、車両３が高速道路上を走行しているか一般道路上を走行しているか等の違いも考慮して、タイヤバーストの危険があるかどうかを判定する。詳しくは、走行速度監視制御部１３は、タイヤ情報（タイヤ特性に関する情報、例えば型式，タイヤ幅，扁平率，リム径，使用走行距離等），タイヤ空気圧，車両速度等とともに車両３の現在位置からタイヤのバースト予測を計算し、危険領域に入ったかどうかを判定する。例えば、高速道路等で高速走行を行う場合には、一般道路等で低速走行する場合に比べて、より高いタイヤ空気圧でも、タイヤ１の波打ち等により操縦性が低下するため、タイヤバーストの危険があるものと判定する。
【００４８】
タイヤバーストの危険がない場合には（図４のＳ１０６：Ｎｏ）、主制御装置１０は、ステップＳ１１２に制御を移す。
【００４９】
タイヤバーストの危険がある場合には（図４のＳ１０６：Ｎｏ）、主制御装置１０は、ステップＳ１０７〜Ｓ１０９を実行する。なお、ステップＳ１０７〜Ｓ１０９の処理は、図２に示した実施例１における場合と全く同様であるので、詳しい説明を省略する。
【００５０】
安全領域速度までの減速を行った後（図４のＳ１０９）、主制御装置１０は、ナビゲーションシステム２０から車両３の現在位置を取得し（図４のＳ１１０）、安全領域速度で継続走行可能かどうかを判定する（図４のＳ１１１）。具体的には、車両３が高速道路上を走行しているか一般道路上を走行しているか等の違いも考慮して、安全領域速度で継続走行可能かどうかを判定する。
【００５１】
タイヤバーストの危険がないか（図４のＳ１０６：Ｎｏ）、あるいは安全領域速度で継続走行可能であれば（図４のＳ１１１：Ｙｅｓ）、主制御装置１０は、ナビゲーションシステム２０を用いてタイヤ空気圧の補給可能箇所を探索し（図４のＳ１１２）、タイヤ空気圧の補給可能箇所への経路案内を行い（図４のＳ１１３）、処理を終了する。補給可能箇所としては、例えば、ガソリンスタンド，高速道路のパーキングエリア・サービスエリア，高速道路外に存在するカーショップ等が想定される。具体的には、ナビゲーションシステム２０により走行予定ルートの途中に存在するガソリンスタンド，高速道路のパーキングエリア・サービスエリア，高速道路外に存在するカーショップ等を探索し、この探索によりガソリンスタンド，高速道路のパーキングエリア・サービスエリア，高速道路外に存在するカーショップ等の位置を取得したかどうかを判定し、ガソリンスタンド，高速道路のパーキングエリア・サービスエリア，高速道路外に存在するカーショップ等の位置を取得した場合には、ナビゲーションシステム２０の表示部２２にガソリンスタンド，高速道路のパーキングエリア・サービスエリア，高速道路外に存在するカーショップ等の存在位置をマップ表示する。これと同時に、音声発声部２３により音声警告を行うようにしてもよい。この音声警告は、例えば、「ガソリンスタンドでタイヤの空気を補充して下さい」，「○○キロ先にガソリンスタンドがあります。タイヤ状態を確認してください。」等である。
【００５２】
なお、ステップＳ１１２およびＳ１１３において、車両３がタイヤ空気圧を自動補給可能な車両（例えば、特開２００６−２１８９８５号公報「タイヤ空気圧制御システム」等参照）であれば、タイヤ空気圧を自動的に補給して、処理を終了する。
【００５３】
一方、安全領域速度で継続走行可能でなければ（図４のＳ１１１：Ｎｏ）、主制御装置１０は、ナビゲーションシステム２０を用いて停車可能箇所を探索し（図４のＳ１１４）、停車可能箇所への経路案内を行い（図４のＳ１１５）、処理を終了する。停車可能箇所としては、例えば、ガソリンスタンドや高速道路のパーキングエリア・サービスエリア，一般道路の駐車場等を探索することができる。
【００５４】
本実施例２によれば、車両３にタイヤバーストの危険がある場合にはフラッシャを駆動して周囲にタイヤバーストの危険を警告するとともに、車両３にタイヤバーストの危険がある旨をナビゲーションシステム２０でも警告するようにしたので、後続車両を含む周辺車両や歩行者が先行車両のタイヤバーストの危険を事前に知ることができるとともに、車両をナビゲーションシステム２０との連動により安全なタイヤ空気圧の補給可能箇所に経路案内したり、停車可能箇所に経路案内したりすることが可能となる。
【００５５】
以上、本発明の各実施例を説明したが、これらはあくまでも例示にすぎず、本発明はこれらに限定されるものではなく、特許請求の範囲の趣旨を逸脱しない限りにおいて、当業者の知識に基づく種々の変更が可能である。
【図面の簡単な説明】
【００５６】
【図１】本発明の実施例１に係るタイヤバースト警告装置の構成を示す機能ブロック図。
【図２】実施例１に係るタイヤバースト警告装置の処理を示すフローチャート。
【図３】本発明の実施例２に係るタイヤバースト警告装置の構成を示す機能ブロック図。
【図４】実施例２に係るタイヤバースト警告装置の処理を示すフローチャート。
【符号の説明】
【００５７】
１  タイヤ
２  タイヤ空気圧センサ（タイヤ空気圧検出手段）
３  車両
４  制動装置
５  入出力Ｉ／Ｆ
１０  主制御装置
１１  タイヤ空気圧記憶部（タイヤ情報記憶手段）
１２  タイヤ空気圧判定部（タイヤ空気圧判定手段）
１３  走行速度監視制御部（タイヤバースト判定手段）
１４  フラッシャ駆動制御部（フラッシャ駆動制御手段）
１５  画面表示指示制御部（画面表示指示制御手段）
１６  警報装置
１７  フラッシャ駆動装置
２０  ナビゲーションシステム
２１  ＧＰＳ受信器
２２  表示部
２３  音声発声部
２４  メータシステム
２５  表示部
【図１】
2008195147.tif 000003
【図２】
2008195147.tif 000004
【図３】
2008195147.tif 000005
【図４】
2008195147.tif 000006